【手続補正書】
【提出日】平成21年12月21日(2009.12.21)
【手続補正１】
【補正対象書類名】明細書
【補正対象項目名】特許請求の範囲
【補正方法】変更
【補正の内容】
【特許請求の範囲】
【請求項１】 プロセッサベースのシステム内の少なくとも１つの記憶素子にアクセスするためのシステムにおいて、
少なくとも１つの記憶素子を有し、前記プロセッサベースのシステムが処理される命令シーケンスを記憶するメモリと、
前記メモリに結合され、前記記憶された命令シーケンスを実行するプロセッサと、
前記プロセッサに結合され、前記プロセッサと前記メモリに専用で使用可能な記憶装置と、
を含み、オペレーティング・システムをブートする前に、前記記憶された命令シーケンスによって前記プロセッサは、前記少なくとも１つの記憶素子のコンテントを前記記憶装置に書き込み、前記書き込み動作はブート後のアプリケーションプログラムとは独立して実行されることを特徴とするシステム。
【請求項２】 前記少なくとも１つの記憶素子のコンテントを前記記憶装置に前記書き込む動作は、前記オペレーティング・システムをロードする前に行われることを特徴とする請求項１に記載のシステム。
【請求項３】 前記命令シーケンスはさらに、前記プロセッサにブート・シーケンスを開始させることを特徴とする請求項１に記載のシステム。
【請求項４】 前記少なくとも１つの記憶素子は不揮発性メモリであることを特徴とする請求項１に記載のシステム。
【請求項５】 前記記憶装置は、コンパクト・ディスク・ドライブ、ディジタル・ビデオ・ディスク（ＤＶＤ）ドライブ、固形メモリ装置、ディジタル・ディスク・ドライブ、ハード・ディスク・ドライブ、光磁気ディスク・ドライブ、テープ・ドライブ、ｚｉｐドライブ、ｊａｚｚドライブ、高密度フロッピー（登録商標）・ドライブ、大容量取外し可能媒体装置、低容量取外し可能媒体装置、および大容量と低容量の取外し可能媒体装置の結合物からなるグループから選択されることを特徴とする請求項２に記載のシステム。
【請求項６】 前記記憶装置がファイル・システムを含み、前記少なくとも１つの記憶素子のコンテントを前記記憶装置に書き込む前記動作において、前記少なくとも１つの記憶素子がファイルであり、前記書き込む動作が、前記ファイルを前記記憶装置中の前記ファイル・システムに転送することを含むことを特徴とする請求項１に記載のシステム。
【請求項７】 前記少なくとも１つの記憶素子のコンテントを前記記憶装置に書き込むステップは、
（ａ）前記メモリに記憶されたスタートアップ・ディレクトリを突き止めるステップと、
（ｂ）前記少なくとも１つの記憶素子に対応する名前を前記スタートアップ・ディレクトリに書き込むステップと、および、
（ｃ）前記少なくとも１つの記憶素子のコンテントを前記記憶装置に転送するステップと、
（ｄ）前記転送されたコンテントへのディレクトリ・ポインタを設定するステップと、を含むことを特徴とする請求項１に記載のシステム。
【請求項８】 少なくとも１つの記憶素子に結合されたプロセッサと、前記プロセッサに結合され、かつ前記プロセッサと前記メモリに専用で使用可能な記憶装置とを有するプロセッサベースのシステム内の前記少なくとも１つの記憶素子にアクセスする方法であって、
前記プロセッサベースのシステム上でオペレーティング・システムをブートする前に、前記少なくとも１つの記憶素子のコンテントを前記記憶装置に書き込むステップを有し、前記書き込み動作はブート後のアプリケーションプログラムとは独立して実行されることを特徴とする含む方法。
【請求項９】 前記少なくとも１つの記憶素子のコンテントを前記記憶装置に書き込む前記動作が、前記オペレーティング・システムをロードする前に行われることを特徴とする請求項８に記載の方法。
【請求項１０】 ブート・シーケンスを開始するステップをさらに含むことを特徴とする請求項８に記載の方法。
【請求項１１】 前記書き込む動作において、前記少なくとも１つの記憶素子は不揮発性メモリであることを特徴とする請求項８に記載の方法。
【請求項１２】 前記記憶装置は、コンパクト・ディスク・ドライブ、ディジタル・ディスク・ドライブ、ディジタル・ビデオ・ディスク（ＤＶＤ）ドライブ、固形メモリ装置、ハード・ディスク・ドライブ、光磁気ディスク・ドライブ、テープ・ドライブ、ｚｉｐドライブ、ｊａｚｚドライブ、高密度フロッピー・ドライブ、大容量取外し可能媒体装置、低容量取外し可能媒体装置、および大容量と低容量の取外し可能媒体装置の結合物からなるグループから選択されることを特徴とする請求項８に記載の方法。
【請求項１３】 前記記憶装置はファイル・システムを含み、前記少なくとも１つの記憶素子のコンテントを前記記憶装置に書き込む前記動作において、前記少なくとも１つの記憶素子はファイルであり、前記書き込む動作は、前記ファイルを前記記憶装置中の前記ファイル・システムに転送するステップを含むことを特徴とする請求項８に記載の方法。
【請求項１４】 前記少なくとも１つの記憶素子のコンテントを前記記憶装置に書き込むステップは、
（ａ）前記メモリに記憶されたスタートアップ・ディレクトリを突き止めるステップと、（ｂ）前記少なくとも１つの記憶素子に対応する名前を前記スタートアップ・ディレクトリに書き込むステップと、
（ｃ）前記少なくとも１つの記憶素子のコンテントを前記記憶装置に転送するこステップと、
（ｄ）前記転送されたコンテントへのディレクトリ・ポインタを設定するステップと、
を含むことを特徴とする請求項１に記載の方法。
【請求項１５】 プロセッサベースのシステム内の少なくとも１つの記憶素子にアクセスするためのコンピュータ・プログラム・コードをその中に組み入れたコンピュータ使用可能媒体を含むコンピュータ読取り可能プログラム製品であって、
前記プロセッサベースのシステム上でオペレーティング・システムをブートする前に、前記少なくとも１つの記憶素子のコンテントを記憶装置に書き込み、前記記憶装置は少なくとも１つの記憶素子に専用として使用可能であり、前記書き込み動作はブート後のアプリケーションプログラムとは独立して実行されることを特徴とするコンピュータ読取り可能プログラム製品。
【請求項１６】 前記コンピュータ読取り可能プログラム・コードは、前記オペレーティング・システムをロードする前に前記少なくとも１つの記憶素子のコンテントを前記記憶装置に書き込むことを特徴とする請求項１５に記載のコンピュータ読取り可能プログラム製品。
【請求項１７】 前記書き込む動作に続いてブート・シーケンスを開始するためのコンピュータ読取り可能プログラム・コードをさらに含むことを特徴とする請求項１５に記載のコンピュータ読取り可能プログラム製品。
【請求項１８】 前記少なくとも１つの記憶素子は不揮発性メモリであることを特徴とする請求項１５に記載のコンピュータ読取り可能プログラム製品。
【請求項１９】 前記記憶装置は、コンパクト・ディスク・ドライブ、ディジタル・ディスク・ドライブ、ディジタル・ビデオ・ディスク（ＤＶＤ）ドライブ、固形メモリ装置、ハード・ディスク・ドライブ、光磁気ディスク・ドライブ、テープ・ドライブ、ｚｉｐドライブ、ｊａｚｚドライブ、高密度フロッピー・ドライブ、大容量取外し可能媒体装置、低容量取外し可能媒体装置、および大容量と低容量の取外し可能媒体装置の結合物からなるグループから選択されることを特徴とする請求項１５に記載のコンピュータ読取り可能プログラム製品。
【請求項２０】 前記記憶装置はファイル・システムを含み、前記少なくとも１つの記憶素子のコンテントを前記記憶装置に書き込む前記動作において、前記少なくとも１つの記憶素子はファイルであり、前記書き込む動作は、前記ファイルを前記記憶装置中の前記ファイル・システムに転送するステップを含むことを特徴とする請求項１５に記載のコンピュータ読取り可能プログラム製品。
【請求項２１】 前記少なくとも１つの記憶素子のコンテントを前記記憶装置に書き込むための前記コンピュータ読取り可能プログラム・コードは、
（ａ）前記メモリに記憶されたスタートアップ・ディレクトリを突き止めるためのコンピュータ読取り可能プログラム・コードと、
（ｂ）前記少なくとも１つの記憶素子に対応する名前を前記スタートアップ・ディレクトリに書き込むためのコンピュータ読取り可能プログラム・コードと、
（ｃ）前記少なくとも１つの記憶素子のコンテントを前記記憶装置に転送するためのコンピュータ読取り可能プログラム・コードと、
（ｄ）前記転送されたコンテントへのディレクトリ・ポインタを設定するためのコンピュータ読取り可能プログラム・コードと、
を含むことを特徴とする請求項１５に記載のコンピュータ読取り可能プログラム製品。
【請求項２２】 データベースにアクセスできる遠隔サービス・コンピュータと通信するユーザ・コンピュータを有し、前記データベースが前記サービス・コンピュータに利用可能な情報を識別するコンピュータ・システムで、情報を前記ユーザ・コンピュータに転送するコンピュータで実施する方法であって、
（ａ）前記ユーザ・コンピュータ上でオペレーション・システムをブートする前に、少なくとも１つの記憶素子のコンテントを前記ユーザ・コンピュータの記憶装置に書き込むステップと、
（ｂ）前記ユーザ・コンピュータと前記サービス・コンピュータとの間に通信リンクを確立するステップと、および、
（ｃ）前記ユーザ・コンピュータに利用できる情報を前記ユーザ・コンピュータにおいて提示するステップと、
を含むことを特徴とする方法。
【請求項２３】 前記ステップ（ａ）において、前記少なくとも１つの記憶素子のコンテントがアプリケーション・プログラムを含み、前記方法はさらに、
前記ステップ（ｂ）に続き、前記アプリケーション・プログラムによって前記サービス・コンピュータから前記ユーザ・コンピュータへのソフトウェアの転送を開始するステップと、
前記ユーザ・コンピュータが前記ソフトウェアを受信するステップと、
含み、
前記ソフトウェアは、前記ユーザ・コンピュータに関するシステム情報を収集する少なくとも１つのプログラムを含むことを特徴とする請求項２２に記載の方法。
【請求項２４】 前記サービス・コンピュータに前記システム情報を提供するステップと、前記サービス・コンピュータが前記システム情報に基づいた情報を提示するステップと、を含むことを特徴とする請求項２３に記載の方法。